【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
室に実装されるフィルタの寿命を判定するための寿命判定用ファンフィルタユニットであって、前記ユニットは、気流の流入側に設けられたファン部と、気流の流出側に設けられたフィルタ部とからなり、前記フィルタ部は、サンプリング用フィルタパックを備え、前記ユニットの四側面を構成する複数個のカセットホルダからなり、個々のカセットホルダが備えるサンプリング用フィルタパックの気流通過面積の総和が前記フレーム本体によって画定された気流通過面積となるように複数個のカセットホルダが配置されていることを特徴とする寿命判定用ファンフィルタユニット。
【請求項２】
前記フィルタ部は、前記ユニットの四側面を構成するフレーム本体の任意の側面から引き出して取り出し可能なように収容された複数個のカセットホルダを備えることを特徴とする請求項１に記載の寿命判定用ファンフィルタユニット。
【請求項３】
前記サンプリング用フィルタパックの奥行寸法を、室に実装されるフィルタを構成するフィルタパックの奥行寸法と略同一にしたことを特徴とする請求項１又は２記載の寿命判定用ファンフィルタユニット。
【請求項４】
気流の流入出方向に対する前記カセットホルダの積層段数を、室に実装されるフィルタの積層段数と等しくすることを特徴とする請求項１乃至３のいずれかに記載の寿命判定用ファンフィルタユニット。
【請求項５】
寿命判定用ファンフィルタユニットを、室の上方に設けられた、フィルタ等を固定する固定枠に取り付けるための取付部材を、前記フレーム本体に設けたことを特徴とする請求項１乃至４のいずれかに記載の寿命判定用ファンフィルタユニット。
【請求項６】
室に実装されたフィルタに空気を供給する通路内に、請求項１乃至５のいずれかに記載の寿命判定用ファンフィルタユニットを設け、前記寿命判定用ファンフィルタユニットを用いて、前記フィルタの寿命を判定するフィルタ寿命判定方法であって、気流を通過させる前のサンプリング用フィルタパック又はフィルタパックを構成するろ材について加速試験を行い、前記サンプリング用フィルタパック又は前記フィルタパックを構成するろ材のガス除去効率が所定値まで低下するのに要した加速試験時間を測定し、この加速試験時間をＴ０とし、室に実装されたフィルタの使用開始時に、寿命判定用ファンフィルタユニットの使用を開始し、寿命判定用ファンフィルタユニットに流入させるファンの風量を調整して、前記フィルタを通過させる気流の風速とほぼ等しい風速となる気流を寿命判定用ファンフィルタユニットに通過させたｎヶ月経過後に、一つのカセットホルダをフレーム本体から取り外して、このカセットホルダに収容されたサンプリング用フィルタパック又はフィルタパックを構成するろ材について前記加速試験を行い、前記サンプリング用フィルタパック又は前記フィルタパックを構成するろ材のガス除去効率が前記所定値まで低下するのに要した加速試験時間を測定し、この加速試験時間をＴｎとし、使用期間ｎ（ヶ月）における残有効吸着剤率Ｚ（％）を、加速試験時間Ｔｎを使用開始前の加速試験時間Ｔ０で除した値（Ｔｎ／Ｔ０）で表し、複数の使用期間についての前記加速試験を行って、各使用期間ｎ（ヶ月）における残有効吸着剤率Ｚ（％）をプロットして検量線を作成し、前記検量線から残有効吸着剤率Ｚが０となる使用期間を求めて、室に実装されたフィルタの交換時期を判定することを特徴とするフィルタ寿命判定方法。
【手続補正２】
【補正対象書類名】明細書
【補正対象項目名】０００６
【補正方法】変更
【補正の内容】
【０００６】
本発明の寿命判定用ファンフィルタユニットは、前記目的を達成するべく、請求項１記載の通り、室に実装されるフィルタの寿命を判定するための寿命判定用ファンフィルタユニットであって、前記ユニットは、気流の流入側に設けられたファン部と、気流の流出側に設けられたフィルタ部とからなり、前記フィルタ部は、サンプリング用フィルタパックを備え、前記ユニットの四側面を構成する複数個のカセットホルダからなり、個々のカセットホルダが備えるサンプリング用フィルタパックの気流通過面積の総和が前記フレーム本体によって画定された気流通過面積となるように複数個のカセットホルダが配置されていることを特徴とする。
また、請求項２記載の寿命判定用ファンフィルタユニットは、請求項１記載の寿命判定用ファンフィルタユニットにおいて、前記フィルタ部は、前記ユニットの四側面を構成するフレーム本体の任意の側面から引き出して取り出し可能なように収容された複数個のカセットホルダを備えることを特徴とする。
また、請求項３記載の寿命判定用ファンフィルタユニットは、請求項１又は２記載の寿命判定用ファンフィルタユニットにおいて、前記サンプリング用フィルタパックの奥行寸法を、室に実装されるフィルタを構成するフィルタパックの奥行寸法と略同一にしたことを特徴とする。
また、請求項４記載の寿命判定用ファンフィルタユニットは、請求項１乃至３のいずれかに記載の寿命判定用ファンフィルタユニットにおいて、気流の流入出方向に対する前記カセットホルダの積層段数を、室に実装されるフィルタの積層段数と等しくすることを特徴とする。
また、請求項５記載の寿命判定用ファンフィルタユニットは、請求項１乃至４のいずれかに記載の寿命判定用ファンフィルタユニットにおいて、寿命判定用ファンフィルタユニットを、室の上方に設けられた、フィルタ等を固定する固定枠に取り付ける取付部材を、前記フレーム本体に設けたことを特徴とする。
本発明のフィルタ寿命判定方法は、前記目的を達成するべく、請求項６記載の通り、室に実装されたフィルタに空気を供給する通路内に、請求項１乃至５のいずれかに記載の寿命判定用ファンフィルタユニットを設け、前記寿命判定用ファンフィルタユニットを用いて、前記フィルタの寿命を判定するフィルタ寿命判定方法であって、気流を通過させる前のサンプリング用フィルタパック又はフィルタパックを構成するろ材について加速試験を行い、前記サンプリング用フィルタパック又は前記フィルタパックを構成するろ材のガス除去効率が所定値まで低下するのに要した加速試験時間を測定し、この加速試験時間をＴ０とし、室に実装されたフィルタの使用開始時に、寿命判定用ファンフィルタユニットの使用を開始し、寿命判定用ファンフィルタユニットに流入させるファンの風量を調整して、前記フィルタを通過させる気流の風速とほぼ等しい風速となる気流を寿命判定用ファンフィルタユニットに通過させたｎヶ月経過後に、一つのカセットホルダをフレーム本体から取り外して、このカセットホルダに収容されたサンプリング用フィルタパック又はフィルタパックを構成するろ材について前記加速試験を行い、前記サンプリング用フィルタパック又は前記フィルタパックを構成するろ材のガス除去効率が前記所定値まで低下するのに要した加速試験時間を測定し、この加速試験時間をＴｎとし、使用期間ｎ（ヶ月）における残有効吸着剤率Ｚ（％）を、加速試験時間Ｔｎを使用開始前の加速試験時間Ｔ０で除した値（Ｔｎ／Ｔ０）で表し、複数の使用期間についての前記加速試験を行って、各使用期間ｎ（ヶ月）における残有効吸着剤率Ｚ（％）をプロットして検量線を作成し、前記検量線から残有効吸着剤率Ｚが０となる使用期間を求めて、室に実装されたフィルタの交換時期を判定することを特徴とする。